(57)【特許請求の範囲】
【請求項１】
ガスを送給する本管（１１）から分岐されたガス供給管路（１２）のガバナー（１７）から最初の需要家（１３）に対する引き込み管（１６）までの間に閉止バルブ（１８）を設け、この閉止バルブ（１８）を挟んで上記ガス供給管路（１２）の上流側から下流側にバイパス管路（１９）を設け、このバイパス管路（１９）に制御部（１９ｇ）によって制御される電磁弁（１９ｃ）と、圧力記録計（１９ｅ）及び上下限圧力検知センサー（１９ｄ）とを順次設置してなり、上記電磁弁（１９ｃ）は、上記閉止バルブ（１８）を閉じた状態で、上記制御部（１９ｇ）によって、上記上下限圧力検知センサー（１９ｄ）の下限信号により開放され、上限信号で閉じられ、かつ、通常の継続ガス消費時間帯で間欠的に開放と閉止が繰り返されるとともに、その開放時間帯において、さらに、バイパス管路（１９）にガスが充満されると閉止する強制開閉を所要時間間隔で繰り返して、その電磁弁（１９ｃ）の強制開閉繰り返し状態時の上記バイパス管路（１９）内の圧力−時間曲線（Ｑ）を上記圧力記録計（１９ｅ）により記録し、上記電磁弁（１９ｃ）の上記開放時間帯における強制開閉の繰り返し時の上記圧力−時間曲線（Ｑ）が、何時までも、ガス消費がなく漏洩もない圧力−時間曲線（Ｑ1）の圧力低下度合と異なる圧力低下を繰り返すときには漏洩の疑いありと判定し、その圧力低下を繰り返す圧力−時間曲線（Ｑ２）の圧力低下度合によりガスの漏洩を判別するガス漏洩検知装置。
【請求項２】
上記電磁弁（１９ｃ）を、上記開放時間帯で少なくとも三回、強制開閉して上記ガス供給管路（１２）にガスを充気するようにしてなる請求項１に記載のガス漏洩検知装置。
【請求項３】
ガスを送給する本管（１１）から分岐されたガス供給管路（１２）のガバナー（１７）から最初の需要家（１３）に対する引き込み管（１６）までの間に閉止バルブ（１８）を設け、この閉止バルブ（１８）を挟んで前記ガス供給管路（１２）の上流側から下流側にバイパス管路（１９）を設け、このバイパス管路（１９）に制御部（１９ｇ）によって制御される電磁弁（１９ｃ）と、圧力記録計（１９ｅ）及び上下限圧力検知センサー（１９ｄ）とを順次設置してガス漏洩検知装置を構成し、そのガス漏洩検知装置を用いて、上記閉止バルブ（１８）を閉じた状態で、前記制御部（１９ｇ）によって、上記電磁弁（１９ｃ）は、上記上下限圧力検知センサー（１９ｄ）の下限信号により開放され、上限信号で閉じられ、かつ、その電磁弁（１９ｃ）の開・閉を通常の継続ガス消費時間帯で間欠的に繰り返すとともに、その電磁弁（１９ｃ）の開放時間帯を少なくとも三回に分けて、ガス供給管路（１２）にガスを充気するとその電磁弁（１９ｃ）を閉止する強制開閉を所要時間間隔で繰り返し行い、前記電磁弁（１９ｃ）の強制開閉繰り返し状態の間の圧力−時間曲線（Ｑ）を前記圧力記録計（１９ｅ）により記録し、上記電磁弁（１９ｃ）の上記開放時間帯における強制開閉の繰り返し時の上記圧力−時間曲線（Ｑ）が、何時までも、ガス消費がなく漏洩もない圧力−時間曲線（Ｑ1）の圧力低下度合と異なる圧力低下を繰り返すときには漏洩の疑いありと判定し、その圧力低下を繰り返す圧力−時間曲線（Ｑ2）の圧力低下度合によりガスの漏洩を判別するガス漏洩検知方法。
【発明の詳細な説明】
【０００１】
【発明の属する技術分野】
この発明は、ガス送給本管から分岐され、需要家群にガスを供給するガス供給管路におけるガスの漏洩を検知する装置および方法に関する。
【０００２】
【従来の技術】
本出願人は、特願２００１−２８６６０５号で「ガスを送給する本管１１から減圧用ガバナー１７を介して布設されたガス供給管路１２の最初の引き込み管１６を分岐させるまでの間に閉止バルブ１８を設け、この閉止バルブ１８の上流側から下流側にバイパス管路１９を設け、このバイパス管路１９に電磁弁１９c と、上下限圧力検知センサー１９d および圧力記録計１９e とを順次設置したガス漏洩検知装置」を提案した（図５参照）。
【０００３】
【発明が解決しようとする課題】
上記提案によれば、上下限圧力検知センサーの作動により電磁弁が開・閉され、この間の圧力変動は記録計に記録されると共に、上記圧力変動を、正常時の圧力変動と比較演算することによりガスの漏洩を検知・報知するようにしたもので、これまで一定の評価を得てきた。
【０００４】
ところが上記提案は、装置全体が多くの器材から構成しているためコスト高となり、また、ガスの消費の少ない深夜時間帯を連続運転するのでランニングコストが高くなり、長時間の記録を観察し分析せねばならず作業者に大きな負担をかけることが実際使用の中で分かってきた。
【０００５】
上記従来技術の問題に鑑みこの発明は、需要家へのガス供給を遮断することなく、構成器材の数を少なくして安価な装置とし、ガス漏洩の検知にさいしてはランニングコストを低減し、ガス漏洩の観察と分析を容易にした装置および方法を提供することを課題とする。
【０００６】
【課題を解決するための手段】
上記課題を解決するために、ガス漏洩検知装置に関するこの発明は、ガスを送給する本管から分岐されたガス供給管路であって、該ガス供給管路の最初の需要家に対する引き込み管までの間に閉止バルブを設け、この閉止バルブを挟んで上流側から下流側にバイパス管路を設け、このバイパス管路に制御部によって制御される電磁弁と、圧力記録計とを順次設置してなり、上記電磁弁は、上記制御部に書き込まれたプログラムによって間欠的に開・閉が繰り返され、さらに上記「開」の時間帯を小刻みに開・閉するように制御し、このガス漏洩検知装置を用いて、上記電磁弁の「開」の時間帯で少なくとも三回に分けてガス供給管路にガスを充気する間の圧力−時間曲線によりガスの漏洩がないことを判定するように構成したものである。
【０００７】
上記のように構成することにより、需要家へのガス供給を遮断することなくガスの漏洩を検知することは勿論、構成器材の数を少なくして安価な装置とし、ガスの漏洩検知のためのランニングコストを低減し、ガス漏洩有無の観察と分析を容易にすることができる。
【０００８】
【発明の実施の形態】
次にこの発明の実施形態を図面を参照しながら説明する。ガス送給本管１１からガス供給管路１２が分岐し、このガス供給管路１２から各需要家１３に向けてバルブ１４とガスメーター１５を介して引き込み管１６が延びている。
【０００９】
ガス供給管路１２には減圧用のガバナー１７が設けられ、最初の需要家１３への引き込み管１６迄の間で閉止バルブ１８が設けられ、この閉止バルブ１８を挟んでバイパス管路１９が設けられている。
【００１０】
上記バイパス管路１９の入り口と出口にはバルブ１９a ，１９b が設けられ、この両バルブの間に電磁弁１９c が設けられ、電磁弁１９c とバルブ１９b との間には二本の枝管が延び、上下限圧力検知センサー１９d と圧力記録計１９e が取り付けられ、別途設けられた制御部１９g は、上記電磁弁１９c と上記圧力記録計１９e に接続されている。
【００１１】
なお、上記バルブ１９a ，１９b ，１９f はガス漏洩検査をしないときバイパス管路と枝管を閉じるためのものである。
【００１２】
次にこの発明によるガス漏洩検知を手順に従って説明する。
1)  閉止バルブ１８を閉じ、バイパス管路１９のバルブ１９a ，１９b 、１９fを開く。
2)  電源をオンにして制御部、電磁弁および圧力記録計を作動状態にする。
3)  制御部１９g には、電磁弁１９c を１５分「開」、３０分「閉」の繰り返しと、上記「開」の時間帯をさらに５分刻みに電磁弁１９c を「強制開閉」するようにプログラムされていて、このプログラムに従って電磁弁が開閉される。
4)  この状態において圧力記録計には、図２のように圧力−時間曲線Ｑが記録（表示）される。
5)  上記の状態で、需要家にガスの消費がなく漏洩もないときは、圧力記録計に図３の如く平行部のある圧力−時間曲線Ｑ1 が表れる。
6)  ここでガス消費が続くとき、または漏洩があるときは、上記電磁弁を強制開閉してガス供給管路に充気しても、圧力−時間曲線Ｑ2 は図２の如く圧力低下を繰り返す。
7)  ここで深夜には、何時かはガス消費が止まるとの前提にたつならば、図２の圧力−時間曲線Ｑ2 が何時までも繰り返されるときは漏洩の疑いありと判定することができる。
その「漏洩の疑いあり」と判定されれば、その繰り返された圧力−時間曲線Ｑ２の圧力低下度合でもって、その圧力低下がガス漏洩によるものか、又は、ガス消費によるものか、について判定する。
8)  なお、ガス消費が続くときは、上下限圧力検知センサーの下限信号が制御部に入力されて電磁弁１９c に「開」となりガスが供給され、上限信号で電磁弁が「閉」となってガス供給が停止される。
【００１３】
なお、図１の装置で、１５分「開」、３０分「閉」を繰り返し、上記１５分を５分ごとに小刻みに「強制開閉」せず、単に「開」としていると図４のような圧力−時間曲線Ｑ３となって、ガス供給管路１２のガス漏洩の有無の判定は難しくなり、漏洩検知のためのコストが高くなるだけでなく、作業者の負担が大きくなる。また、上記１５分「開」、３０分「閉」および「強制開閉」のインターバルは実用上、支障無い範囲で変更できる。
【００１４】
【発明の効果】
以上説明したようにこの発明により、▲１▼漏洩検知器材の数を少なくすることが可能になりコストの低減を可能とし、▲２▼電磁弁を一定時間帯で間欠的に「開・閉」し、さらに「開」の時間帯を「強制開閉」することにより、ガス漏洩検知のためのコスト低減が可能になり、圧力−時間曲線によるガス漏洩の観察と判定が容易になり作業者の負担が軽減された。
【図面の簡単な説明】
【図１】この発明に係るガス漏洩検知装置の説明図
【図２】この発明に係るガス漏洩検知装置に記録された圧力−時間曲線図
【図３】図２の漏洩なし部分拡大図
【図４】図１の装置で電磁弁常時「開」としたときの圧力−時間曲線図
【図５】従来のガス漏洩検知装置の説明図
【符号の説明】
１１  本管
１２  ガス供給管路
１３  需要家
１４  バルブ
１５  ガスメーター
１６  引き込み管
１７  ガバナー
１８  閉止バルブ
１９  バイパス管路
１９a ，１９b ，１９f ，１９h   バルブ
１９c   電磁弁
１９d   上下限圧力検知センサー
１９e   記録計
１９g   制御部
Ｑ  圧力−時間曲線図
Ｑ1   漏洩なし時の圧力−時間曲線図
Ｑ2   漏洩の疑いありの圧力−時間曲線図
【図１】
0004176377.tif 000002
【図２】
0004176377.tif 000003
【図３】
0004176377.tif 000004
【図４】
0004176377.tif 000005
【図５】
0004176377.tif 000006